(57)【要約】【課題】任意のサイズの用紙エッジに対応可能なように任意の位置でエッジガイドを保持可能としながらも、エッジガイドが必要以上に用紙エッジに強く突き当てられることを防止できるエッジ規制装置を提供する。【解決手段】用紙後端エッジを規制するエッジ規制装置１００は、エッジガイド５０と、用紙カセット１１の底面１１ａに設けられる第１凹部６７及び第２凹部７２を備えて構成される。第１凹部６７にはエッジガイド５０の第１突起６６が入り込むことでエッジガイド５０を保持し、第２凹部７２にはエッジガイド５０の第２突起７１が入り込むことでエッジガイド５０を保持する。第２凹部７２は、第１凹部６７の配置ピッチより大きいピッチで配置されており、特に定形サイズの用紙エッジに対応した位置に配置され、当該用紙エッジに適した位置でクリック感を発生させる。【選択図】図４
2009227376.tif 000002
【特許請求の範囲】
【請求項１】
被記録媒体のエッジをエッジガイドにより規制するエッジ規制装置であって、
前記エッジガイドの変位方向に沿って所定間隔毎に前記エッジガイドを保持可能な第１保持手段と、
前記エッジガイドの変位方向に沿って前記第１保持手段による保持間隔より大きい間隔毎に前記エッジガイドを保持可能な第２保持手段と、
を備えたことを特徴とするエッジ規制装置。
【請求項２】
請求項１に記載のエッジ規制装置において、前記第２保持手段は、前記エッジガイドを、少なくとも一種類の定形サイズの被記録媒体のエッジを規制する位置に保持可能である、
ことを特徴とするエッジ規制装置。
【請求項３】
請求項１または２に記載のエッジ規制装置において、前記第１保持手段は、前記エッジガイドの変位面上において前記エッジガイドの変位方向に沿って所定ピッチで配置される複数の第１凹部と、
前記エッジガイドに設けられ、前記第１凹部に入り込む第１突起と、を備えて構成され、
前記第２保持手段は、前記エッジガイドの変位面上において前記エッジガイドの変位方向に沿って前記第１凹部の配置ピッチより大きい間隔で配置される複数の第２凹部と、
前記エッジガイドに設けられ、前記第２凹部に入り込む第２突起と、を備えて構成され、
前記第１凹部及び前記第１突起は、前記エッジガイドが被記録媒体のエッジから離れる方向の移動は規制し、前記エッジガイドが被記録媒体のエッジに接近する方向の移動は許容するようにその形状が設定され、
前記第２凹部及び前記第２突起は、前記エッジガイドが被記録媒体のエッジに接近する方向の移動は規制するようにその形状が設定されている、
ことを特徴とするエッジ規制装置。
【請求項４】
請求項３に記載のエッジ規制装置において、前記第１突起の前記第１凹部に対する嵌脱動作、及び前記第２突起の前記第２凹部に対する嵌脱動作が、各々独立して実行可能に構成されている、
ことを特徴とするエッジ規制装置。
【請求項５】
請求項３または４に記載のエッジ規制装置において、
前記第１保持手段は、前記第１突起を前記第１凹部から外す第１操作部を備え、
前記第２保持手段は、前記第２突起を前記第２凹部から外す第２操作部を備え、
前記第１操作部と前記第２操作部とが一つの操作部材により構成され、当該操作部材を操作することにより、前記第１突起が前記第１凹部から外れ、且つ前記第２突起が前記第２凹部から外れる構成を備えている、
ことを特徴とするエッジ規制装置。
【請求項６】
複数枚の被記録媒体を収容する被記録媒体カセットであって、
請求項１から５のいずれか１項に記載のエッジ規制装置を備えている、
ことを特徴とする被記録媒体カセット。
【請求項７】
請求項６に記載の被記録媒体カセットにおいて、収容された被記録媒体の先端と対向する内壁が、被記録媒体の積重方向に対し開き角を形成する傾斜形状を成している、
ことを特徴とする被記録媒体カセット。
【請求項８】
被記録媒体に記録を行う記録装置であって、請求項１から５のいずれか１項に記載のエッジ規制装置を備えている、
ことを特徴とする記録装置。
【発明の詳細な説明】
【技術分野】
【０００１】
本発明は、被記録媒体のエッジをエッジガイドにより規制するエッジ規制装置に関する。また本発明は、当該エッジ規制装置を備えた被記録媒体カセット、および記録装置に関する。
【背景技術】
【０００２】
ファクシミリやプリンタ等に代表される記録装置において、記録用紙を収容する用紙カセットなどには、記録用紙のエッジを規制するエッジガイドが設けられる。エッジガイドは記録用紙の幅方向や長さ方向などに変位（スライド）可能に設けられており、また特許文献１に示されるようなノッチ構造などを利用して所望する位置に保持されるよう構成されている。
【特許文献１】特開２００６−８３５１号公報
【発明の開示】
【発明が解決しようとする課題】
【０００３】
特許文献１に示されるノッチを構成する鋸状歯は、任意のサイズの用紙エッジに対応可能なように、エッジガイドの変位方向に沿って小さいピッチで多数配置されている。またノッチを構成する鋸状歯は、ノッチに入り込むエッジガイド側の突起が、用紙エッジから離れる方向に容易に動かないように（鋸状歯を乗り越えないように）、且つ、用紙エッジに近づく方向には容易に動くように（鋸状歯を乗り越えられるように）、その傾斜面の向きが設定されている。
【０００４】
これによりエッジガイドを用紙エッジに向けて動かす際には、エッジガイドの変位方向に沿って多数配置されたノッチから突起を外す操作を行うことなく容易に動かしていくことができ、また用紙エッジを規制する位置にエッジガイドが一旦位置決めされた後は、エッジガイドが用紙から受ける力によって容易に用紙エッジから離れないようになっている。
【０００５】
しかしながら、例えば用紙カセットにおいては、セットされた用紙束の先端と対向する位置にある内壁が傾斜形状に形成され、この傾斜形状を利用して用紙の予備的な分離を行う構成が採られる場合がある。
【０００６】
このような構成の場合、エッジガイドを用紙エッジ（この場合後端側のエッジ）に強く突き当てると、セットされた用紙先端が上記傾斜形状を滑り上ってしまい、用紙セット状態が乱れる場合がある。そしてその結果、用紙給送時において上記傾斜形状が分離機能を十分に発揮できず、重送が発生する虞がある。
【０００７】
換言すれば、用紙先端と対向する内壁が傾斜形状であるため、エッジガイドを用紙後端に突き当てたときに用紙側から受ける抵抗感が小さく、エッジガイドを適切な位置を超えた位置にまで動かし易いといった性質を有している。
【０００８】
そこで本発明はこのような状況に鑑みなされたものであり、その目的は、任意のサイズの用紙エッジに対応可能なように任意の位置でエッジガイドを保持可能としながらも、エッジガイドが必要以上に用紙エッジに強く突き当てられることを防止できるエッジ規制装置を提供することにある。
【課題を解決するための手段】
【０００９】
上記課題を解決するために、本発明の第１の態様に係るエッジ規制装置は、被記録媒体のエッジをエッジガイドにより規制するエッジ規制装置であって、前記エッジガイドの変位方向に沿って所定間隔毎に前記エッジガイドを保持可能な第１保持手段と、前記エッジガイドの変位方向に沿って前記第１保持手段による保持間隔より大きい間隔毎に前記エッジガイドを保持可能な第２保持手段と、を備えたことを特徴とする。
【００１０】
本態様によれば、第１保持手段により、任意のサイズの被記録媒体エッジに対応可能なように任意の位置でエッジガイドを保持可能としながら、第２保持手段により、被記録媒体のサイズに適した位置で、エッジガイドを操作するユーザ側に引っ掛かり感（クリック感）を与えることができる。
【００１１】
ユーザはこれにより、被記録媒体のサイズに適した位置を、エッジガイドの操作感の変化を介して知ることができ、これによりエッジガイドが必要以上に被記録媒体のエッジに強く突き当てられることを防止することができる。
【００１２】
本発明の第２の態様に係るエッジ規制装置は、第１の態様において、前記第２保持手段は、前記エッジガイドを、少なくとも一種類の定形サイズの被記録媒体のエッジを規制する位置に保持可能であることを特徴とする。
【００１３】
本態様によれば、第２保持手段は、エッジガイドを、少なくとも一種類の定形サイズの被記録媒体のエッジを規制する位置に保持可能であるので、利用頻度の高い定形サイズの被記録媒体に対してエッジガイドが強く押し当てられることを防止できる。
【００１４】
本発明の第３の態様に係るエッジ規制装置は、第１のまたは第２の態様において、前記第１保持手段は、前記エッジガイドの変位面上において前記エッジガイドの変位方向に沿って所定ピッチで配置される複数の第１凹部と、前記エッジガイドに設けられ、前記第１凹部に入り込む第１突起と、を備えて構成され、前記第２保持手段は、前記エッジガイドの変位面上において前記エッジガイドの変位方向に沿って前記第１凹部の配置ピッチより大きい間隔で配置される複数の第２凹部と、前記エッジガイドに設けられ、前記第２凹部に入り込む第２突起と、を備えて構成され、前記第１凹部及び前記第１突起は、前記エッジガイドが被記録媒体のエッジから離れる方向の移動は規制し、前記エッジガイドが被記録媒体のエッジに接近する方向の移動は許容するようにその形状が設定され、前記第２凹部及び前記第２突起は、前記エッジガイドが被記録媒体のエッジに接近する方向の移動は規制するようにその形状が設定されていることを特徴とする。
【００１５】
本態様によれば、第１保持手段は、エッジガイドが被記録媒体のエッジに接近する方向の移動は許容し、被記録媒体のエッジから離れる方向の移動は規制するので、これによりエッジガイドを被記録媒体エッジに向けて動かす際には、エッジガイドの変位方向に沿って配置された第１凹部から第１突起を外す操作を行うことなく容易に動かしていくことができる。また被記録媒体エッジを規制する位置にエッジガイドが一旦位置決めされた後は、エッジガイドが被記録媒体から受ける力によって容易に被記録媒体エッジから離れないよう保持される。
【００１６】
そして第２保持手段は、エッジガイドが被記録媒体のエッジに接近する方向の移動は規制するので、エッジガイドを被記録媒体のエッジに向けて移動させた際には、被記録媒体のサイズに適した位置でユーザ側に強い引っ掛かり感（クリック感）を与えることができ、エッジガイドが必要以上に被記録媒体のエッジに強く突き当てられることを防止することができる。
【００１７】
本発明の第４の態様に係るエッジ規制装置は、第３の態様に係るエッジ規制装置において、前記第１突起の前記第１凹部に対する嵌脱動作、及び前記第２突起の前記第２凹部に対する嵌脱動作が、各々独立して実行可能に構成されていることを特徴とする。
【００１８】
前記第１突起と前記第２突起とが同期して変位動作してしまう場合には、前記第１突起が嵌合中の第１凹部から外れる際に、同時に前記第２突起が前記第２凹部から外れてしまい、エッジガイドを被記録媒体のエッジに向けて移動させた際に、被記録媒体のサイズに適した位置でユーザ側に引っ掛かり感（クリック感）を与えることができない虞がある。しかしながら前記第１突起の前記第１凹部に対する嵌脱動作、及び前記第２突起の前記第２凹部に対する嵌脱動作が、各々独立して実行可能であるので、上記の様な不具合の発生を防止できる。
【００１９】
本発明の第５の態様に係るエッジ規制装置は、第３のまたは第４の態様において、前記第１保持手段は、前記第１突起を前記第１凹部から外す第１操作部を備え、前記第２保持手段は、前記第２突起を前記第２凹部から外す第２操作部を備え、前記第１操作部と前記第２操作部とが一つの操作部材により構成され、当該操作部材を操作することにより、前記第１突起が前記第１凹部から外れ、且つ前記第２突起が前記第２凹部から外れる構成を備えていることを特徴とする。
【００２０】
本態様によれば、一つの操作部材を操作することにより、前記第１突起が前記第１凹部から外れ、且つ前記第２突起が前記第２凹部から外れる構成を備えている、即ち第１保持手段による保持状態解除と第２保持手段による保持状態解除とが単一の操作部材により実行できるので、各々を別個独立に操作する必要が無く、操作性が向上する。
【００２１】
本発明の第６の態様に係る被記録媒体カセットは、複数枚の被記録媒体を収容する被記録媒体カセットであって、第１から第５の態様のいずれかに係るエッジ規制装置を備えていることを特徴とする。本態様によれば、被記録媒体カセットにおいて、上記第１から第５の態様のいずれかと同様な作用効果を得ることができる。
【００２２】
本発明の第７の態様に係る被記録媒体カセットは、第６の態様において、収容された被記録媒体の先端と対向する内壁が、被記録媒体の積重方向に対し開き角を形成する傾斜形状を成していることを特徴とする。
【００２３】
被記録媒体カセットにおいてセットされた被記録媒体の先端と対向する位置にある内壁が傾斜形状に形成され、この傾斜形状を利用して被記録媒体の分離を行う場合には、エッジガイドを被記録媒体の後端エッジに強く突き当てると、セットされた被記録媒体先端が上記傾斜形状を滑り上ってしまい、これにより被記録媒体給送時において上記傾斜形状が分離機能を十分に発揮できなくなる虞がある。
【００２４】
しかしながら上述した第２保持手段により、被記録媒体のサイズに適した位置で、エッジガイドを操作するユーザ側に引っ掛かり感（クリック感）を与えることができので、エッジガイドが必要以上に被記録媒体のエッジに強く突き当てられることを防止でき、被記録媒体の先端と対向する位置にある傾斜形状の分離機能を十分に発揮させることができる。
【００２５】
本発明の第８の態様に係る記録装置は、被記録媒体に記録を行う記録装置であって、第１から第５の態様のいずれかに係るエッジ規制装置を備えていることを特徴とする。本態様によれば、記録装置において、上記第１から第５の態様のいずれかと同様な作用効果を得ることができる。
【発明を実施するための最良の形態】
【００２６】
以下、図１乃至図４を参照しつつ本発明の一実施形態について説明する。図１は「記録装置」の一実施形態であるインクジェットプリンタ（以下「プリンタ」と言う）１の用紙搬送経路を示す側断面図、図２は用紙カセット１１に設けられたエッジ規制装置１００（エッジガイド５０）の斜視図、図３はエッジガイド５０を下方から視た斜視図、図４（Ａ）、（Ｂ）はエッジ規制装置１００の側断面図であり、図４（Ａ）は第１突起６６の位置で切断した様子を、図４（Ｂ）は第２突起７１の位置で切断した様子を示している。
【００２７】
尚、図１はプリンタ１の用紙搬送経路上に配置されるローラを図示する為に、ほぼ全てのローラを同一面上に描いているが、その奥行き方向（図１の紙面表裏方向）の位置は必ずしも一致しているとは限らない（一致している場合もある）。
【００２８】
以下、図１を参照しつつプリンタ１の全体構成について概説する。プリンタ１は、装置底部に給送装置２を備え、当該給送装置２から、「被記録媒体」の一例としての用紙（主として単票紙：以下「用紙Ｐ」と言う）を１枚ずつ給送し、記録手段４において記録（インクジェット記録）を行い、装置前方側（図１において右側）に設けられた図示しない排紙スタッカへ向けて排出される構成を備えている。
【００２９】
以下、用紙搬送経路上の構成要素について更に詳説する。  
給送装置２は、用紙カセット１１と、ピックアップローラ１６と、ガイドローラ２０と、分離手段２１と、を備えている。  
複数枚の用紙Ｐを積層状態でセット可能な用紙カセット１１は、給送装置２の装置本体に対し、装置前方側から装着及び取り外し可能であり、その内部には、用紙Ｐのエッジを規制するエッジガイド５０（後に詳述）が設けられている。尚、当該エッジガイド５０は図示するように用紙Ｐの後端エッジを規制するものであるが、用紙Ｐのサイドエッジを規制するエッジガイドも設けられている（図示は省略）。
【００３０】
図示しないモータによって回転駆動されるピックアップローラ１６は、揺動軸１８を中心に揺動する揺動部材１７に設けられており、用紙カセット１１にセットされた用紙Ｐの最上位のものと接して回転することにより、当該最上位の用紙Ｐを用紙カセット１１から送り出す。
【００３１】
用紙カセット１１においてセットされた用紙Ｐの先端と対向する内壁は、用紙Ｐの積重方向に対し開き角を形成する（上方に拡開する）傾斜形状に形成されており、この内壁に分離斜面１２が配置されている。ピックアップローラ１６の回転により送り出された用紙Ｐは、その先端が分離斜面１２に摺接しつつ下流側に進むことで、次位以降の用紙Ｐとの予備的な分離が行われる。
【００３２】
分離斜面１２の下流側には自由回転可能なガイドローラ２０が設けられ、このガイドローラ２０の下流側には、分離ローラ２２と駆動ローラ２３とを備えて構成された分離手段２１が設けられている。分離ローラ２２は、外周面が弾性材によって形成されるとともに駆動ローラ２３と圧接可能に設けられ、且つ、トルクリミッタ機構により、所定の回転抵抗が与えられた状態に設けられている。従って重送されようとする次位以降の用紙Ｐが、当該分離ローラ２２と駆動ローラ２３との間で止められ、即ち重送が防止される様になっている。尚、駆動ローラ２３は図示しないモータにより用紙Ｐを下流側へ送る方向に回転駆動される。
【００３３】
分離手段２１の下流側には、図示しないモータにより回転駆動される駆動ローラ２６と、駆動ローラ２６との間で用紙Ｐをニップして従動回転するアシストローラ２７と、を備えて構成された第１中間送り部２５が設けられており、この第１中間送り部２５により、用紙Ｐが更に下流側へと送られる。
【００３４】
プリンタ１は、図示するように用紙カセット１１から送り出した用紙Ｐをその進行方向が反対向きとなるように湾曲反転させる湾曲反転経路を備えており、第１中間送り部２５の下流側には、用紙Ｐが湾曲反転経路を通過する際の（特に用紙後端が通過する際の）通紙負荷を軽減する従動ローラ２９が設けられている。
【００３５】
従動ローラ２９の下流側には図示しないモータにより回転駆動される駆動ローラ３２と、駆動ローラ３２との間で用紙Ｐをニップして従動回転するアシストローラ３３と、を備えて構成された第２中間送り部３１が設けられており、この第２中間送り部３１により、用紙Ｐが更に下流側へと送られる。
【００３６】
第２中間送り部３１の下流側には、記録手段４が配置されている。記録手段４は、搬送手段５と、記録ヘッド４２と、紙案内前３９と、排出手段６と、を備えている。尚、搬送手段５の上流側近傍には、用紙Ｐの通過を検出する用紙検出手段（図示せず）も設けられている。
【００３７】
搬送手段５は、モータによって回転駆動される搬送駆動ローラ３５と、該搬送駆動ローラ３５に圧接して従動回転するよう紙案内上３７に軸支される搬送従動ローラ３６とを備えて構成されている。搬送手段５に到達した用紙Ｐは、搬送駆動ローラ３５と搬送従動ローラ３６とによってニップされた状態で搬送駆動ローラ３５が回転することにより、下流側へと精密送りされる。
【００３８】
続いて記録ヘッド４２はキャリッジ４０の底部に設けられ、当該キャリッジ４０は主走査方向（図１の紙面表裏方向）に延びるキャリッジガイド軸４１にガイドされながら、図示しない駆動モータによって主走査方向に往復動する様に駆動される。尚、キャリッジ４０はインクカートリッジを搭載しない所謂オフキャリッジタイプであり、インクカートリッジ（図示せず）がキャリッジ４０から独立して設けられ、インク供給チューブ（図示せず）を介してインクカートリッジから記録ヘッド４２へとインクが供給されるように構成されている。
【００３９】
記録ヘッド４２と対向する位置には紙案内前３９が設けられ、当該紙案内前３９によって、用紙Ｐと記録ヘッド４２との距離が規定されるようになっている。そして紙案内前３９の下流側には、記録の行われた用紙Ｐを排出する排出手段６が設けられている。排出手段６は図示しないモータによって回転駆動される排出駆動ローラ４４と、当該排出駆動ローラ４４に接して従動回転する排出従動ローラ４５とを備えて構成され、記録手段４によって記録の行われた用紙Ｐは、排出手段６により、装置前方側に設けられた図示を省略するスタッカへと排出される。
【００４０】
以上がプリンタ１の概要であり、以下、図２〜図４を参照しながら用紙カセット１１に設けられるエッジ規制装置１００について詳説する。尚、図４において右方向（図１においては左方向）はエッジガイド５０が用紙後端エッジに接近する方向（以下「エッジ接近方向」と言う）であり、図４において左方向（図１においては右方向）はエッジガイド５０が用紙後端エッジから離間する方向（以下「エッジ離間方向」と言う）である。
【００４１】
エッジ規制装置１００は、エッジガイド５０と、用紙カセット１１の底面１１ａに設けられる第１凹部６７及び第２凹部７２並びにガイド溝４９を備えて構成される。  
エッジガイド５０は、用紙カセット１１の底面１１ａを変位面とし、用紙カセット１１にセットされた用紙Ｐの長さ方向（図４の左右方向）にスライド変位可能に設けられている。
【００４２】
より具体的には、エッジガイド５０は用紙カセット１１の底面１１ａに平行な面を成す板状のベース部５１と、当該ベース部５１から上方に立ち上がる形状を成し、用紙エッジを規制する規制面５２ａを形成する規制ブロック５２と、規制ブロック５２の背後に配置され、後述する第１保持手段６５及び第２保持手段７０によるエッジガイド５０の保持状態解除を行う為の操作部となる操作部５３と、を備え、これらが樹脂成形により一体的に形成されている。
【００４３】
ベース部５１において用紙カセット１１の底面１１ａと対向する面には図３に示すようにガイドレール５４と係止片５５とが形成されており、用紙カセット１１の底面１１ａに形成されたエッジガイド５０の変位方向に延びるガイド溝４９にガイドレール５４が入り込むことで、エッジガイド５０がガイド溝４９にガイドされる。尚、係止片５５は底面１１ａの反対側の面に係止して、エッジガイド５０の底面１１ａからの離反を防止する。
【００４４】
続いて用紙カセット１１の底面１１ａには、エッジガイド５０の変位方向に延びるガイド溝４９を挟んで、第１凹部６７と第２凹部７２とが形成されている。  
第１凹部６７は、エッジガイド５０の変位方向に沿って所定ピッチ（例えば、１ｍｍピッチ）で多数配置されてノッチを形成し、図４（Ａ）に示すように前記所定ピッチで配置された鋸状歯６８により形成されている。
【００４５】
一方でエッジガイド５０の側には、弾性変形可能な第１板状部５６が、ベース部５１に切り欠き溝が設けられることにより形成されており、また第１板状部５６の先端部には第１凹部６７に向かって突出する第１突起６６が形成され、この第１突起６６が、第１凹部６７に入り込むようになっている。また第１突起６６は、第１板状部５６の弾性変形により、第１凹部６７に対して嵌脱動作を行うようになっている。
【００４６】
ここで第１凹部６７は、エッジ接近方向にある鋸状歯６８の斜面６８ａと、エッジ離間方向にある鋸状歯６８の垂直面６８ｂと、により構成されており、第１突起６６はエッジ接近方向側が斜面６６ａにより形成され、エッジ離間方向側が垂直面６６ｂにより形成されている。
【００４７】
従って第１突起６６が第１凹部６７に入り込んだ状態では、第１突起６６（即ちエッジガイド５０）は第１板状部５６の弾性変形を介してエッジ接近方向への移動が許容されるが、エッジ離間方向への移動は規制された状態となっている。以上により第１凹部６７と第１突起６６とが、エッジガイド５０をその変位方向に沿って所定間隔毎に保持する第１保持手段６５を構成する。
【００４８】
次に、用紙カセット１１の底面１１ａにおいて、ガイド溝４９を挟んで第１凹部６７の反対側に設けられる第２凹部７２は、エッジガイド５０の変位方向に沿って、第１凹部６７の配置間隔よりも大きい間隔で配置されている。
【００４９】
一方でエッジガイド５０の側には、弾性変形可能な第２板状部５７が、第１板状部５６と同様にベース部５１に切り欠き溝が設けられることにより形成されており、また第２板状部５７の先端部には第２凹部７２に向かって突出する第２突起７１が形成され、この第２突起７１が、第２凹部７２に入り込むようになっている。また第２突起７１は、第２板状部５７の弾性変形により、第２凹部７２に対して嵌脱動作を行うようになっている。
【００５０】
ここで第２凹部７２は、図４（Ｂ）に示すようにエッジ接近方向にある垂直面７２ａと、エッジ離間方向にある斜面７２ｂと、により構成されており、第２突起７１はエッジ接近方向側が垂直面７１ａにより形成され、エッジ離間方向側が斜面７１ｂにより形成されている。
【００５１】
従って第２突起７１が第２凹部７０に入り込んだ状態では、第２突起７１（即ちエッジガイド５０）はエッジ接近方向への移動が規制されるが、エッジ離間方向への移動は第２板状部５７の弾性変形を介して許容された状態となっている。以上により第２凹部７２と第２突起７１とが、エッジガイド５０をその変位方向に沿って第１保持手段６５による保持間隔より大きい間隔毎にエッジガイド５０を保持する第２保持手段７０を構成する。
【００５２】
尚、第１板状部５６には腕状の第１被係合部６０が形成されており、この第１被係合部６０が、操作部５３に形成された腕状の第１係合部５８と係合可能となっている。また第２板状部５７には腕状の第２被係合部６１が形成されており、この第２被係合部６１が、操作部５３に形成された腕状の第２係合部５９と係合可能となっている。
【００５３】
以上により操作部５３を図４の矢印ａ方向に押すと、操作部５３の弾性変形とともに第１被係合部６０と第２被係合部６１とが上方に持ち上げられ、第１板状部５６と第２板状部５７とが弾性変形し、これにより第１突起６６が第１凹部６７から外れ、且つ、第２突起７１が第２凹部７２から外れるようになっている。即ち、操作部５３を操作することにより、第１保持手段６５によるエッジガイド５０の保持状態と、第２保持手段７０によるエッジガイド５０の保持状態とが、ともに解除されるようになっている。
【００５４】
以上の様に構成されたエッジ規制装置１００においては、第１保持手段６５により、任意のサイズの用紙エッジに対応可能なように任意の位置でエッジガイド５０を保持することができる。特にエッジガイド５０を用紙エッジに向けて動かす際には、エッジガイド５０の変位方向に沿って多数配置された第１凹部６７から第１突起６６を外す操作を行うことなく容易に動かしていくことができる。また用紙エッジを規制する位置にエッジガイド５０が一旦位置決めされた後は、エッジガイド５０が用紙から受ける力によって容易に用紙エッジから離れないよう保持される。
【００５５】
そして第２保持手段７０を構成する第２凹部７２は、第１凹部６７の配置ピッチより大きい間隔で配置され、特に本実施形態では用紙カセット１１にセット可能な定形サイズの用紙（例えば、ＪＩＳ規格で規定されるＡ４版、Ｂ５版、など）の後端エッジを規制する適切な位置にエッジガイド５０を位置決めするよう配置されている。
【００５６】
従って当該定形サイズの用紙後端に対しては、エッジガイド５０をエッジ接近方向に動かすと、後端エッジを規制する最も適切な位置で引っ掛かり感（クリック感）を発生させることができる。このため、エッジガイド５０が必要以上に強く用紙後端エッジに突き当てられることを防止することができる。
【００５７】
特に、用紙カセット１１において、セットされる用紙束の先端と対向する位置には分離斜面１２が設けられており、エッジガイド５０が用紙後端エッジに強く突き当てられると、セットされた用紙先端が分離斜面１２を上ってしまい、給紙時において分離斜面１２が分離機能を十分に発揮できなくなる虞がある。しかしながら上述の通り、エッジガイド５０には、第２保持手段７０により用紙後端エッジ位置に適した位置でクリック感が発生するので、前記のような不具合の発生を防止することができる。
【００５８】
尚、第１保持手段６５を構成する第１突起６６と、第２保持手段７０を構成する第２突起７１とは、図３から明かなようにともに独立して変位可能であり、即ち第１突起６６の第１凹部６７に対する嵌脱動作、及び第２突起７１の第２凹部７２に対する嵌脱動作が、各々独立して実行可能となっている。
【００５９】
仮に、エッジガイド５０をエッジ接近方向に変位させた際に、第１突起６６と第２突起７１とが、同期して嵌脱動作してしまうと、第１突起６６が嵌合中の第１凹部６７から外れて鋸状歯６８を乗り越える際に、同時に第２突起７１が第２凹部７２から外れてしまい、定形サイズの用紙後端エッジに適した位置でユーザ側に引っ掛かり感（クリック感）を与えることができない虞がある。
【００６０】
しかしながら上記の通り、第１突起６６の第１凹部６７に対する嵌脱動作、及び第２突起７１の第２凹部７２に対する嵌脱動作が、各々独立して実行可能となっているので、定形サイズの用紙後端エッジに適した位置で、確実にユーザ側に引っ掛かり感（クリック感）を与えることができる。
【図面の簡単な説明】
【００６１】
【図１】本発明に係るインクジェットプリンタの用紙搬送経路の側断面図。
【図２】用紙カセットに設けられたエッジ規制装置の斜視図。
【図３】エッジガイドを下方から視た斜視図。
【図４】（Ａ）、（Ｂ）はエッジ規制装置の側断面図。
【符号の説明】
【００６２】
１  インクジェットプリンタ、３  給送装置、４  記録手段、５  搬送手段、６  排出手段、
１１  給紙カセット、１１ａ底面、１２  分離斜面、１６  ピックアップローラ、１７  揺動部材、１８  揺動軸、２０  従動ローラ、２１  分離手段、２２  分離ローラ、２３  駆動ローラ、
２５  第１中間送り部、２６  駆動ローラ、２７  アシストローラ、２９  従動ローラ、３１  第２中間送り部、３２  駆動ローラ、３３  アシストローラ、３５  搬送駆動ローラ、３６  搬送従動ローラ、３７  紙案内上、３９  紙案内前、４０  キャリッジ、４１  キャリッジガイド軸、４２  記録ヘッド、４４  排出駆動ローラ、４５  排出従動ローラ、
４９  ガイド溝、５０  エッジガイド、５１  ベース部、５２  規制ブロック、５２ａ  規制面、５３  操作部、５４  ガイドレール、５５  係止片、５６  第１板状部、５７  第２板状部、５８  第１腕部、５９  第２腕部、６０  第１係合部、６１  第２係合部、
６５  第１保持手段、６６  第１突起、６６ａ  斜面、６６ｂ  垂直面、６７  第１凹部、６８  鋸状歯、６８ａ  斜面、６８ｂ  垂直面、
７０  第２保持手段、７１  第２突起、７１ａ  垂直面、７１ｂ  斜面、７２  第２凹部、７２ａ  垂直面、７２ｂ  斜面、
Ｐ  記録用紙
【図１】
2009227376.tif 000003
【図２】
2009227376.tif 000004
【図３】
2009227376.tif 000005
【図４】
2009227376.tif 000006